(57)【要約】      （修正有）【課題】帽子を被ったまま、すっぽり被ると、開口部が帽子の鍔部にずり落ちずに引掛り顔と頭部と首部を虫や紫外線を防止できるヘッドネット及びウォーマーを提供する。【解決手段】シルク強捻糸を縦横交差織にして編成する極薄のシルク糸製メッシュ生地を裁断して被っている帽子と顔６等を被覆したり、被覆時の状態が眼の下方部に位置せしめて顔６等を被覆したり、背中や腰やお腹を一体に被覆したり、ウェストを被覆したりが可能な筒状ネット体ａを形成し、筒状ネット体ａを構成する上方開口部１に、帽子ｂもしくは顔６に被覆したり、あるいは背中や腰やお腹を一体に被覆したり、ウェストを被覆してもずり落ちたりしない弾性を有するゴム紐２を取着し、筒状ネット体ａの下方端部３に開口状の下方開口部４を形成せしめる。【選択図】図１
0003188711.tif 000002
【実用新案登録請求の範囲】
【請求項１】
シルク強捻糸を縦横交差織にして編成する極薄のシルク糸製メッシュ生地を裁断して被っている帽子と顔等を被覆したり、あるいは被覆時の状態が眼の下方部に位置せしめて顔等を被覆したり、あるいは背中や腰やお腹を一体に被覆したり、あるいはウェストを被覆したりが可能な筒状ネット体を形成し、前記筒状ネット体を構成する上方開口部に、帽子もしくは顔に被覆したり、あるいは背中や腰やお腹を一体に被覆したり、あるいはウェストを被覆してもずり落ちたりしない弾性を有するゴム紐を取着し、前記筒状ネット体の下方端部に開口状の下方開口部を形成せしめることを特徴とするヘッドネット及びウォーマー。
【請求項２】
前記ネット体は、被覆時に被覆者の顔、頭部及び首部をあるいは背中や腰やお腹を一体に被覆したり、あるいはウェストを被覆可能な形状にて形成せしめることを特徴とする請求項１に記載したヘッドネット及びウォーマー。
【請求項３】
前記ネット体は、前記上方開口部が被覆者の耳部に引掛ってもずり落ちたりしない強さのゴム紐であることを特徴とする請求項１もしくは２に記載したヘッドネット及びウォーマー。
【請求項４】
前記ネット体は、帽子等に被覆後、被覆状態から開放して首部に落下せしめネックカバーとして使用することが可能であることを特徴とする請求項１〜３のいずれか１項に記載したヘッドネット及びウォーマー。  
【請求項５】
前記ネット体は、素材がシルク５０％〜１００％、２０ｇ／ｍ２〜６０ｇ／ｍ２メッシュ無地の素材混率であることを特徴とする請求項１〜４のいずれか１項に記載したヘッドネット及びウォーマー。
【請求項６】
前記ネット体は、柄模様であることを特徴とする請求項１〜５のいずれか１項に記載したヘッドネット及びウォーマー。
【考案の詳細な説明】
【技術分野】
【０００１】
本考案は、通気性が良好にして、虫や紫外線から顔や頭部あるいは首部を守ると共に、涼しく快適に作業をしたり、軽量にして且つコンパクトにして持ち運びが便利で、しかもシワになりにくく乾燥も早く、洗濯も簡単であり、さらに散歩・スポーツ観戦やキャンプ等において使用することができるヘッドネット及びウォーマーの分野に関するものである。
【背景技術】
【０００２】
従来、顔面と首の日よけカバーとして、特許第５０４６０７０号特許公報が開示されている。
【０００３】
前記開示の特許公報に記載されている発明は、筒状遮光布２の上方に耳に取付け固定する固定紐５を設けた帯状遮光布１を主たる構成とし、用法としては図２に開示されているように、両眼を出したまま固定紐５をもって耳に引掛け鼻と口部と顔面の頬部と首部とを覆う日よけカバーである。
【０００４】
従って、前記発明の日よけカバーは、その用法からして帽子を被った者が帽子に引掛けて防虫や防紫外線機能を発揮することができない。
【０００５】
さらに、従来開示の発明は、不使用時にネックカバーとしての機能も発揮できない。
【０００６】
また、従来開示の発明は、使用者の両眼への防虫や防紫外線を発揮することができないものである。
【０００７】
従来開示の発明の日よけカバーは、筒状の遮光布２に固定紐５及び隆起部７等を形成するものなので、構造が複雑化しているがために、厚目になったり、洗濯及び取扱いも丁寧に行わなければならないものである。
【０００８】
さらに、従来開示の発明の日よけカバーは、筒状の遮光布２と固定紐５付き帯状遮光布１とを縫い合せ接合しているので（段落番号［００１７］参照）、スポーツのような激しい屋外活動にも適することを可能にしたものである。
【先行技術文献】
【特許文献】
【０００９】
【特許文献１】特許第５０４６０７０号特許公報
【考案の概要】
【考案が解決しようとする課題】
【００１０】
本考案が解決しようとする課題は、以下のとおりである。
【００１１】
第１に本考案のヘッドネット及びウォーマーが解決しようとする課題は、帽子を被ったまま、すっぽり被ると、開口部が帽子の鍔部にずり落ちずに引掛り顔と頭部と首部を虫や紫外線を防止することができるようにした。
【００１２】
第２に本考案のヘッドネットが解決しようとする課題は、前記のような解決課題以外に、ヘッドネットを帽子からすっぽりと被りながら、涼しく快適に作業ができるようにした。
【００１３】
第３に本考案のヘッドネット及びウォーマーが解決しようとする課題は、前記第１、第２の解決課題以外に、軽量でコンパクトにして持ち運びができるようにした。
【００１４】
第４に本考案のヘッドネット及びウォーマーが解決しようとする課題は、シワになりにくく、乾燥も早く、且つ洗濯も簡単にできるようにした。
【００１５】
第５に本考案のヘッドネット及びウォーマーが解決しようとする課題は、ガーデニングや散歩時に、さらにアウトドアでスポーツ観戦やキャンプ時に、防虫、防紫外線やキャンプ等ができるようにした。
【００１６】
第６に本考案のヘッドネット及びウォーマーが解決しようとする課題は、背中や腰及びお腹を一体に被覆したり、あるいはウェストウォーマーとしても使用することができるようにした。
【課題を解決するための手段】
【００１７】
課題を解決するための手段として、請求項１に記載の考案は、シルク強捻糸を縦横交差織にして編成する極薄のシルク糸製メッシュ生地を裁断して被っている帽子と顔６等を被覆したり、あるいは被覆時の状態が眼の下方部に位置せしめて顔６等を被覆したり、あるいは背中や腰やお腹を一体に被覆したり、あるいはウェストを被覆したりが可能な筒状ネット体ａを形成し、前記筒状ヘッドネット体ａを構成する上方開口部１に、帽子ｂもしくは顔６に被覆したり、あるいは背中や腰やお腹を一体に被覆したり、あるいはウェストを被覆してもずり落ちたりしない弾性を有するゴム紐２を取着し、前記筒状ネット体ａの下方端部３に開口状の下方開口部４を形成せしめるヘッドネット及びウォーマーである。
【００１８】
課題を解決するための手段として、請求項２に記載の考案は、前記ネット体ａが、被覆時に被覆者の顔６、頭部７及び首部８あるいは背中や腰部やお腹を一体に、あるいはウェストを被覆したりを被覆可能な形状にて形成せしめるヘッドネット及びウォーマーである。
【００１９】
課題を解決するための手段として、請求項３に記載の考案は、前記ネット体ａが、前記上方開口部１が被覆者の耳部に引掛ってもずり落ちたりしない強さのゴム紐２であるヘッドネット及びウォーマーである。
【００２０】
課題を解決するための手段として、請求項４に記載の考案は、前記ネット体ａが、帽子ｂ等に被覆後、被覆状態から開放して首部８に落下せしめネックカバーｃとして使用することが可能なヘッドネット及びウォーマーである。
【００２１】
課題を解決するための手段として、請求項５に記載の考案は、前記ネット体ａが、素材がシルク５０％〜１００％、２０ｇ／ｍ２〜６０ｇ／ｍ２メッシュ無地の素材混率であるヘッドネット及びウォーマーである。
【００２２】
課題を解決するための手段として、請求項６に記載の考案は、前記ネット体ａが、柄模様であるヘッドネット及びウォーマーである。
【考案の効果】
【００２３】
請求項１記載の考案は、シルク強捻糸を縦横交差織にして編成する極薄のシルク糸製メッシュ生地を裁断して被っている帽子と顔６等を被覆したり、あるいは被覆時の状態が眼の下方部に位置せしめて顔６等を被覆したり、あるいは背中や腰やお腹を一体に被覆したり、あるいはウェストを被覆したりが可能な筒状ネット体ａを形成し、前記筒状ヘッドネット体ａを構成する上方開口部１に、帽子ｂあるいは顔６に被覆したり、あるいは背中や腰やお腹を一体に被覆したり、あるいはウェストを被覆してもずり落ちたりしない弾性を有するゴム紐２を取着し、前記筒状ネット体ａの下方端部３に開口状の下方開口部４を形成せしめるヘッドネット及びウォーマーなので、前記筒状ネット体ａの開口部１のゴム紐２が帽子ｂの鍔部９に引掛ってずり落ちずに顔６と頭部７と首部８をすっぽり被覆し、安定性が良く、薄くて軽く伸縮性が高く、邪魔にはならず、しかも通気性に優れ、虫や紫外線を気にせずに、涼しく快適にガーデニング、散歩、スポーツ観戦やキャンプなどができる優れた利点を多数併有している。
【００２４】
さらに、本考案のヘッドネット及びウォーマーは、軽量のためコンパクトで持ち運びができると共に、シワになりにくく、乾燥も早く洗濯も簡単である。
【００２５】
また、本考案のヘッドネット及びウォーマーの防虫や防紫外線ネットとして使用しないときは、被っているヘッドネットを軽く下方に引張るか、あるいは帽子の鍔部９に引掛っているヘッドネット体ａの上方開口部１のゴム紐２を若干外側に開きながら降下すれば、ネックカバーｃとして利用できる利点を有している。
【００２６】
前記のようにネックカバーｃとして利用しても、素材が素肌に優しいシルク１００％のストレッチシルクなので、首部の肌に当っても違和が全くない。
【００２７】
さらに、本考案のヘッドネット及びウォーマーは、前記のとおり、シルク強捻糸を縦横交差織にして編成する極薄のシルク糸製メッシュ生地を使用しているので、帽子ｂを着用し、鍔部９に引掛け被っていても生地そのものが顔面に密着あるいは若干離れており、そのため外側部からは被っている被覆者の顔や眼がうっすらとすかして見えるだけで違和感は全くなく、しかも被っている被覆者からは外部が良く見えて、着用していないときと殆ど変らない等の利点がある。
【００２８】
また本考案のヘッドネット及びウォーマーは、背中から腰及びお腹にかけてを一体に被覆したり、さらにくしゃくしゃにしてウェストウォーマーとして使用することもできる便利さを有している。
【００２９】
請求項２に記載の考案は、前記ネット体ａが、被覆時に被覆者の顔６、頭部７及び首部８あるいは背中からお腹を一体に、あるいはウェストを被覆可能な形状にて形成せしめるヘッドネット及びウォーマーなので、前記請求項１に記載の効果と同じ効果を有している。
【００３０】
請求項３に記載の考案は、前記ネット体ａが、前記上方開口部１が被覆者の耳部に引掛ってもずり落ちたりしない強さのゴム紐２であるヘッドネット及びウォーマーなので、前記請求項１に記載の効果と同じ効果を有している。
【００３１】
請求項４に記載の考案は、前記ネット体ａが、帽子ｂ等に被覆後、被覆状態から開放して首部８に落下せしめネックカバーｃとして使用することが可能なヘッドネット及びウォーマーなので、前記請求項１に記載の効果と同じ効果を有している。
【００３２】
請求項５に記載の考案は、前記ネット体ａが、素材がシルク５０％〜１００％、２０ｇ／ｍ２〜６０ｇ／ｍ２メッシュ無地の素材混率であるヘッドネット及びウォーマーなので、前記請求項１に記載の効果と同じ効果を有している。
【００３３】
請求項６に記載の考案は、前記ネット体ａが、柄模様であるヘッドネット及びウォーマーなので、前記請求項１に記載の効果と同じ効果を有している。
【図面の簡単な説明】
【００３４】
【図１】本考案ヘッドネット及びウォーマーの使用状態を示す正面図である。
【００３５】
【図２】同図１の状態から耳に引掛けて使用した状態の正面図である。
【００３６】
【図３】図１及び図２の状態からヘッドネット及びウォーマーをネックカバーとして使用した状態の正面図である。
【００３７】
【図４】同ヘッドネット及びウォーマーの斜視図である。
【００３８】
【図５】同ヘッドネット及びウォーマーを人体の背中、腰、お腹に一体に被覆して使用した状態の一部切欠正面図である。
【００３９】
【図６】同ヘッドネット及びウォーマーを人体のウェストに被覆して使用した状態の一部切欠正面図である。
【考案を実施するための最良の形態】
【００４０】
請求項１〜６に記載の考案に関する実施の形態は共通するので、以下のとおり一括して説明する。
【００４１】
本考案のヘッドネット及びウォーマーの主たる構成要件は、ネット体ａであるが、その具体的構成は以下のとおりである。
【００４２】
すなわち、ネット体ａは、素材がシルク５０％〜１００％、２０ｇ／ｍ２〜６０ｇ／ｍ２メッシュ無地の素材混率である。
【００４３】
前記のような素材混率のシルク強捻糸を縦横交差織にして編成する極薄のシルク糸製メッシュ生地を裁断して被っている帽子ｂあるいは顔６を被覆したり、あるいは被覆時の状態が眼の下方部に位置せしめることか、あるいは人体の背中から腹部にかけて一体に被覆するか、あるいはくしゃくしゃにしてウェストに被覆することが可能な筒状ネット体ａを形成する。
【００４４】
さらに、本考案の前記ネット体ａは、上方開口部１に帽子ｂあるいは顔６に被覆してもずり落ちたりしない弾性を有するゴム紐２を取着する。他方、前記筒状ネット体ａの下方端部３は、帽子ｂ等に対し被覆しても使用者の首下より下方部に位置する開口状の下方開口部４を形成せしめる。
【００４５】
さらに、前記ヘッドネット体ａは、被覆時に被覆者の顔６、頭部７と首部８等を被覆可能な形状にて形成せしめる。
【００４６】
また、前記ネット体ａは、前記上方開口部１が使用者の耳部に引掛ってもずり落ちたりしない強さのゴム紐２をもって形成する。
【００４７】
さらに、本考案の前記ネット体ａは、帽子ｂ等に被覆後、被覆から開放するときは首部８に落下せしめネックカバーｃとして使用することもできると共に、人体の背中からお腹にかけて一体に被覆するか、あるいはくしゃくしゃにしてウェストに被覆して使用することができる。
【００４８】
上記のように形成された前記ネット体ａは、顔面被覆時に、外側面からは使用者の顔面が極めて不鮮明であり、そのため被覆者にとっては、被覆者の顔が不鮮明にしか見えないが、被覆者からは外部が良く透視できる。そして前記ネット体ａは、虫及び紫外線防止機能を有しているので、優れた利点を有している。
【００４９】
さらに、本考案のネット体ａの下方開口部４の端縁部は、ほぐれないようにフレア状に形成する。そのため、ヘッドネットを着用したり、取り外したりしても、前記下方開口部４がほぐれたりしない。
【００５０】
また、前記ネット体aは、柄模様にしても良い。
【符号の説明】
【００５１】
ａ    ネット体
ｂ    帽子
ｃ    ネックカバー
１    上方開口部
２    ゴム紐
３    端部
４    下方開口部
６    顔
７    頭部
８    首部
９    鍔部
【図１】
0003188711.tif 000003
【図２】
0003188711.tif 000004
【図３】
0003188711.tif 000005
【図４】
0003188711.tif 000006
【図５】
0003188711.tif 000007
【図６】
0003188711.tif 000008